(57)【要約】【課題】発光直後の一定期間は駆動トランジスタの閾値電圧Ｖｔｈが変化し、発光直後に書き込む画素ラインと、発光からしばらくしてから書き込む画素ラインとでは書き込み特性にズレが生じる。【解決手段】特定信号付加期間に、前記平均信号レベルと前記発光期間の長さに応じた特定信号電圧を取得し、当該特定信号電圧に応じた電圧を駆動トランジスタのゲートに付加する。【選択図】図８
2011221398.tif 000002
【特許請求の範囲】
【請求項１】
書き込み期間に入力される表示電圧が保持される保持容量部と、前記書き込み期間後の発光期間に発光する発光素子と、前記表示電圧に基づき前記発光素子を発光する駆動トランジスタと、をそれぞれ有する複数の画素と、前記発光素子の発光量に関する統計値を取得する統計値取得部と、前記統計値と前記発光期間の長さに応じた特定信号電圧を取得する特定信号取得部と、前記発光期間後の特定信号付加期間に、前記特定信号電圧に応じた電圧を、前記駆動トランジスタのゲート端子に印加する特定信号出力部と、を有する表示装置。
【請求項２】
前記表示装置は、更に、前記特定信号付加期間に応じた前記発光期間を取得する発光期間取得部を有し、前記特定信号取得部は、前記特定信号付加期間を最小とする前記特定信号電圧を取得することを特徴とする請求項１記載の表示装置。
【請求項３】
前記複数の画素は、複数の画素ライン毎に区分された複数の画素ブロックを有し、前記統計値取得部は、前記画素ブロック毎の前記統計値を取得し、前記特定信号取得部は、前記画素ブロック毎の前記特定信号電圧を取得し、前記特定信号出力部は、前記特定信号電圧に応じた電圧を出力することを特徴とする請求項１記載の表示装置。
【請求項４】
前記特定信号取得部は、第１の画素ブロックにおける前記特定信号電圧を取得する際、当該第１の画素ブロックから１フレーム期間前の前記画素ブロックまでに含まれる前記統計値の和を、当該１フレーム期間に含まれる前記画素ブロック数で割った値に基づいて前記特定信号電圧を取得することを特徴とする請求項３記載の表示装置。
【請求項５】
前記統計値は、階調値に基づく電圧信号に応じた統計値であることを特徴とする請求項１乃至４のいずれかに記載の表示装置。
【請求項６】
前記表示装置は、更に、前記複数の画素の発光素子を流れる電流を検出する電流検出部を有し、前記統計値は、前記電流に基づく信号の統計値であることを特徴とする請求項１乃至４のいずれかに記載の表示装置。
【請求項７】
前記表示装置は、更に、前記複数の発光素子の発光量を検出する光検出部を有し、前記統計値は、前記発光量に基づく統計値であることを特徴とする請求項１乃至４のいずれかに記載の表示装置。
【請求項８】
前記表示装置は、更に、前記駆動トランジスタと前記発光素子に接続され、前記発光素子の発光を制御する発光制御スイッチを有し、前記発光制御スイッチは、前記特定信号付加期間、オフされることを特徴とする請求項１記載の表示装置。
【請求項９】
前記統計値は、平均信号レベルであることを特徴とする請求項１乃至８のいずれかに記載の表示装置。
【発明の詳細な説明】
【技術分野】
【０００１】
本発明は、表示装置に関し、特には、自発光素子を有する表示装置に関する。
【背景技術】
【０００２】
近年、有機発光ダイオード（Organic Light Emitting Diode）に代表される有機ＥＬ（Organic Electro-luminescent）素子と呼ばれる自発光体を用いた画像表示装置（以下、「有機ＥＬ表示装置」という。）が実用化段階にある。この有機ＥＬ表示装置は、従来の液晶表示装置と比較して、自発光体を用いているため、視認性、応答速度の点で優れているだけでなく、バックライトのような補助照明装置を要しないため、更なる薄型化が可能となっている。
【０００３】
このような有機ＥＬ表示装置の駆動方式として、特許文献１には、階調値に基づく電圧が保持部に保持された複数の画素に対して、基準電圧を印加することにより、有機ＥＬ素子を発光させる、いわゆるＣＩ（Clamped Inverter）駆動方式と呼ばれる駆動方式の有機ＥＬ表示装置が開示されている。
【先行技術文献】
【特許文献】
【０００４】
【特許文献１】特開２００３−００５７０９号公報
【発明の概要】
【発明が解決しようとする課題】
【０００５】
しかしながら、従来の表示装置に用いられている駆動トランジスタは、ヒステリシス特性を有する。このため、発光直後の一定期間は駆動トランジスタの閾値電圧Ｖｔｈが変化し、発光直後に書き込む画素ラインと、発光からしばらくしてから書き込む画素ラインとでは書き込み特性にズレが生じるという問題がある。
【０００６】
具体的には、例えば、図１７に示すように、駆動トランジスタには発光素子の発光時（駆動トランジスタのゲート電圧がＶｇ１の場合）には電流Ｉｄが流れるが、発光終了直後には、発光前の電流値からΔＩｄ分、アンダーシュートする。そして、ある時間経過した後元の電流値に収束する。この際の収束時間において駆動トランジスタの閾値電圧Ｖｔｈが変化する。
【０００７】
このように閾値電圧Ｖｔｈが変化すると、発光直後に表示電圧を書き込む画素ラインと、収束期間後に書き込む画素ラインとでは、書き込み特性にズレが生じるという問題がある。具体的には、例えば、図１８に示すように、６４０列×４８０行の画素で構成される表示画面を想定した場合、例えば１行目、２４０行目、４８０行目では異なる閾値電圧Ｖｔｈで書き込まれることとなり、結果として、例えば、画面上部では明るく下部に近づくにつれて暗くなるような表示となり、輝度が均一な画面を表示することができないという課題がある。なお、図１８においては、書き込み期間において第１行から第４８０行の昇順に信号が書き込まれるものとする。
【０００８】
本発明は、上記課題に鑑みて、駆動トランジスタのヒステリシス特性による影響があっても、特定信号付加期間に、特定信号電圧に応じた電圧を、駆動トランジスタのゲート端子に印加することにより、より均一な画面を表示することができる表示装置１００を提供することを目的とする。
【課題を解決するための手段】
【０００９】
（１）本発明の表示装置は、書き込み期間に入力される表示電圧が保持される保持容量部と、前記書き込み期間後の発光期間に発光する発光素子と、前記表示電圧に基づき前記発光素子を発光する駆動トランジスタと、をそれぞれ有する複数の画素と、前記発光素子の発光量に関する統計値を取得する統計値取得部と、前記統計値と前記発光期間の長さに応じた特定信号電圧を取得する特定信号取得部と、前記発光期間後の特定信号付加期間に、前記特定信号電圧に応じた電圧を、前記駆動トランジスタのゲート端子に印加する特定信号出力部と、を有することを特徴とする。これにより、より均一な画面を表示することができる。
【００１０】
（２）上記（１）記載の表示装置は、更に、前記特定信号付加期間に基づいて、前記発光期間を取得する発光期間取得部を有し、前記特定信号取得部は、前記特定信号付加期間を最小とする前記特定信号電圧を取得してもよい。
【００１１】
（３）上記（１）記載の表示装置において、前記複数の画素は、複数の画素ライン毎に区分された複数の画素ブロックを有し、前記統計値取得部は、前記画素ブロック毎の前記統計値を取得し、前記特定信号取得部は、前記画素ブロック毎の前記特定信号電圧を取得し、前記特定信号出力部は、前記特定信号電圧に応じた電圧を出力してもよい。
【００１２】
（４）上記（３）記載の表示装置において、前記特定信号算出部は、第１の画素ブロックにおける前記特定信号電圧を取得する際、当該第１の画素ブロックから１フレーム期間前の前記画素ブロックまでに含まれる前記統計値の和を、当該１フレーム期間に含まれる前記画素ブロック数で割った値に基づいて前記特定信号電圧を取得してもよい。
【００１３】
（５）上記（１）乃至（４）記載の表示装置において、前記統計値は、階調値に基づく電圧信号に応じた統計値であってもよい。
【００１４】
（６）上記（１）乃至（４）記載の表示装置は、更に、前記複数の画素の発光素子を流れる電流を検出する電流検出部を有し、前記統計値は、前記電流に基づく信号の統計値であってもよい。
【００１５】
（７）上記（１）乃至（４）記載の表示装置は、前記複数の発光素子の発光量信号を検出する光検出部を更に有し、前記統計値は、前記発光量に基づく統計値であってもよい。
【００１６】
（８）上記（１）記載の表示装置は、更に、前記駆動トランジスタと前記発光素子に接続され、前記発光素子の発光を制御する発光制御スイッチを有し、前記発光制御スイッチは、前記特定信号付加期間、オフされてもよい。
【００１７】
（９）上記（１）乃至（８）記載の表示装置において、前記統計値は、平均信号レベルであってもよい。
【発明の効果】
【００１８】
駆動トランジスタのヒステリシス特性による影響がある場合においても、より均一な画面を表示することができる。
【図面の簡単な説明】
【００１９】
【図１】本発明の実施の形態に係る表示装置を示す概略図である。
【図２】図１に示した表示装置の構成を説明するための図である。
【図３】図１に示した表示装置の構成を説明するための図である。
【図４】本発明の実施の形態に係る特定信号制御部の内部構成を概略的に示す図である。
【図５】本発明の実施の形態に係るデータ線駆動部の内部構成を概略的に示す図である。
【図６】本発明の実施の形態に係る自発光ディスプレイの各画素の構成を説明するための図である。
【図７】本発明の実施の形態に係る各画素の動作を示すための図である。
【図８】本発明の実施の形態に係る表示装置の動作の動作を説明するための図である。
【図９】ヒステリシス量と入力レベルとの関係を示す図である。
【図１０】本発明の変形例１における特定信号制御部を説明する図である。
【図１１】本発明の変形例１におけるデータ線駆動部の図である。
【図１２】本発明の変形例１における発光期間制御部の内部構成を説明するための図である。
【図１３】本発明の変形例２を説明するための図である。
【図１４】本発明の変形例３を説明するための図である。
【図１５】本発明の変形例４を説明するための図である。
【図１６】本発明の変形例５を説明するための図である。
【図１７】本発明の課題を説明するための図である。
【図１８】本発明の課題を説明するための図である。
【発明を実施するための形態】
【００２０】
以下、本発明の実施の形態について、図面を参照しつつ説明する。なお、図面において、同一又は同等の要素には同一の符号を付し、重複する説明を省略する。
【００２１】
図１は、本発明の実施の形態に係る表示装置１００を示す図である。図１に示すように、有機ＥＬ表示装置１００は、有機ＥＬパネルを有するＴＦＴ（Thin Film Transistor）基板２００を挟むように固定する上フレーム１１０及び下フレーム１２０と、表示する情報を生成する回路素子を備える回路基板１４０と、その回路基板１４０において生成されたＲＧＢの情報をＴＦＴ基板１５０に伝えるフレキシブル基板１３０と、により構成されている。
【００２２】
図２及び図３は、図１に示した表示装置１００の構成を説明するための図である。図２に示すように、表示装置１００は、ＴＦＴ基板２００上に形成された自発光表示ディスプレイ２１７、画素制御部２１３、データ線駆動部２０９、走査線駆動部２１１等を有する。なお、データ線駆動部２０９、走査線駆動部２１１、画素制御部２１３は、各々別々のＬＳＩ等で形成してもよいし、１つのＬＳＩ等で形成してもよい。また、データ線駆動部２０９、走査線駆動部２１１、画素制御部２１３は、自発光表示ディスプレイ２１７が形成されたＴＦＴ基板２００上に形成してもよい。
【００２３】
自発光表示ディスプレイ２１７は、マトリクス状に配置された複数の画素により構成される。また、各画素は、表示電圧を保持する保持容量、例えば有機ＥＬで構成される自発光素子、自発光素子を駆動する駆動トランジスタ等により構成されるが、詳細については後述する。
【００２４】
データ線駆動部２０９は、表示制御部２０６から出力されるデータ線制御信号２０７により制御される。同期クロック信号２０５に同期した垂直同期信号２０１、水平同期信号２０２、データイネーブル信号２０３、及び、表示データ信号２０４が、表示制御部２０６に入力され、表示制御部２０６は当該入力信号に基づいて、上記データ線制御信号２０７及び走査線制御信号２１８を生成する。
【００２５】
ここで、垂直同期信号２０１は、表示画面の画面周期、つまり、１フレーム期間の信号、水平同期信号２０２は、水平周期の信号、データイネーブル信号２０３は、表示データ信号２０４が有効である期間、つまり表示有効期間を示す信号である。
【００２６】
また、データ線駆動部２０９は、データ線制御信号２０７に従って、後述する自発光表示ディスプレイ２１７を構成する各画素６２６、６２７、６２８、６２９の保持容量６３２に書き込む表示信号電圧、及び、各画素６２６、６２７、６２８、６２９に含まれる自発光素子の発光を制御する発光制御電圧を生成し、データ線駆動電圧２１０として、自発光表示ディスプレイ２１７に出力する。
【００２７】
駆動電圧生成部２１５は、自発光素子を発光させるために必要な電流を供給する電源電圧を生成し、自発光表示ディスプレイ２１７に、駆動電圧２１６を介して出力する。
【００２８】
走査線駆動部２１１は、表示制御部２０６から出力された走査線制御信号２１８に基づいて、走査線選択信号２１２を画素制御部２１３に出力する。そして、画素制御部２１３は、当該走査線選択信号２１２に基づいて、各画素６２６、６２７、６２８、６２９を制御するための信号である画素制御信号２１４を自発光表示ディスプレイ２１７に出力する。
【００２９】
図２では、図が煩雑になるため省略したが、図３に示すように、本実施の形態の表示装置１００は、更に、特定信号制御部２４１を有する。なお、図３においては、走査線駆動部２１１、表示制御部２０６等は省略している。
【００３０】
特定信号制御部２４１には、データ線駆動部２０９から自発光素子の発光期間の長さを表す発光期間信号２３９が入力されるとともに、データ線駆動部２０９からのデータ信号２４０が入力される。そして、特定信号制御部２４１は、当該発光期間信号２３９とデータ信号２４０に基づいて、データ線駆動部２０９に出力する特定信号電圧信号２４２を算出する。
【００３１】
図４は、特定信号制御部２４１の内部構成を概略的に示す図である。図４に示すように、特定信号制御部２４１は、統計値取得部４０１と、特定信号取得部４０４を有する。また、特定信号取得部４０４は、特定信号付加量制御部４０２と、特定信号電圧制御部４０３を有する。
【００３２】
統計値取得部４０１は、データ線駆動部２０９から入力された各画素６２６、６２７、６２８、６２９のデータ信号２４０に基づいて、平均信号レベルＤ（ＡＰＬ（Average Picture Level））を算出し、特定信号付加量制御部４０２へ出力する。具体的には、統計値取得部４０１は、データ信号２４０に含まれるＲＧＢの各階調値を取得し、それらを合算して平均信号レベルＤを算出する。この処理は１画面分のデータについて合算し終えるまで繰り返され、その合計に基づいて平均信号レベルＤが算出される。なお、当該合計値の情報の上位ビットのみを残すようにしてビットシフトさせて平均信号レベルＤとしてもよい。また、ＲＧＢの各色についての合算については、例えば、Ｂの階調値については１．３を乗じて合算する等、重み付けをして合算してもよい。
【００３３】
特定信号付加量制御部４０２は、上記のようにして算出された平均信号レベルＤとデータ線駆動部２０９から出力された発光期間信号２３９に基づいて、特定信号付加量Ｍを算出し、特定信号電圧制御部４０３へ出力する。具体的には、例えば、上記のように算出された平均信号レベルＤに発光期間信号２３９を乗じて特定信号付加量Ｍを算出する。
【００３４】
特定信号電圧制御部４０３は、上記のように算出された特定信号付加量Ｍに基づいて、データ線駆動部２０９に出力する特定信号電圧信号２４２を算出し、当該特定信号電圧信号２４２をデータ線駆動部２０９に出力する。
【００３５】
図５は、データ線駆動部２０９の内部構成を概略的に示す図である。図５に示すように、データ線駆動部２０９は、階調電圧ＤＡＣ５０１、電圧切り換え部５０２、発光電圧格納部５０３、特定信号電圧ＤＡＣ５０４、発光期間格納部５０５、特定信号付加期間格納部５０６、ラインデータ格納部５０７を有する。なお、特定信号電圧ＤＡＣ５０４は、例えば、特許請求の範囲に記載した特定信号出力部に対応する。
【００３６】
ラインデータ格納部５０７には、入力されたデータ線制御信号２０７を、所定数の画素ライン分格納する。ここで、画素ラインとは、マトリクス状に配置された複数の画素で構成される１行を意味するものとする。また、ラインデータ格納部５０７は、入力されるデータ出力タイミング信号５５０に応じて、データ信号２４０を、１の画素ライン毎に、階調電圧ＤＡＣ５０１へ出力する。なお、データ出力タイミング信号５５０は、垂直同期信号２０１を用いてもよいし、他の信号から生成してもよい。
【００３７】
階調電圧ＤＡＣ５０１は、入力されたデータ信号２４０をＤＡ変換し、階調電圧５４８として電圧切り換え部５０２に出力する。発光電圧格納部５０３は、後述する有機ＥＬ６３５発光時の基準電圧を格納し、電圧切り換え部５０２に、当該基準電圧５４５を出力する。また、特定信号電圧ＤＡＣ５０４は、特定信号制御部２４１からの特定信号電圧信号２４２を、ＤＡ変換し、特定信号電圧信号５４９として、電圧切り換え部５０２に出力する。
【００３８】
発光期間格納部５０５は、設定された発光期間を格納し、発光期間信号２３９として、電圧切り換え部５０２及び特定信号付加量制御部４０２に出力する。また、特定信号付加期間格納部５０６は、設定された特定信号付加期間を格納し、特定信号付加期間信号２４７として、電圧切り換え部５０２に出力する。
【００３９】
電圧切り換え部５０２は、入力される発光電圧格納部５０３からの基準電圧５４５、階調電圧ＤＡＣ５０１からの階調電圧５４８、特定信号電圧ＤＡＣ５０４からの特定信号電圧信号５４９を、発光期間信号２３９及び特定信号付加期間信号５４７に応じて選択的にデータ線駆動電圧２１０として自発光表示ディスプレイ２１７に出力する。具体的には、下記に詳述する。
【００４０】
図６は、図２及び図３に示した自発光表示ディスプレイ２１７の各画素６２６、６２７、６２８、６２９の構成を説明するための概略図である。図６に示すように、各画素６２６、６２７、６２８、６２９は、保持容量６３２、駆動トランジスタ６３３、書き込み制御スイッチ６３４、発光制御スイッチ６３８、スイッチングトランジスタ６３１、及び有機ＥＬ６３５を有する。
【００４１】
スイッチングトランジスタ６３１は、ゲートが走査線６２０に接続され、ソースがデータ線６１８に接続され、ドレインが保持容量６３２の一端に接続される。保持容量６３２の他端は、駆動トランジスタ６３３のゲート及び書き込み制御スイッチ６３４のソースに接続される。
【００４２】
駆動トランジスタ６３３は、ソースが駆動電圧供給線６２４に接続され、ドレインが発光制御スイッチ６３８のドレインに接続され、ゲートは上述のように保持容量６３２及び書き込み制御スイッチ６３４に接続される。
【００４３】
書き込み制御スイッチ６３４は、ドレイン及びソースは上記のように接続され、ゲートは書き込み制御線６２２に接続される。また、発光制御スイッチ６３８は、ドレインは上述のように接続され、ゲートが発光制御線６３６に接続され、ソースは有機ＥＬ６３５の一端に接続される。有機ＥＬ６３５の他端は、接地される。
【００４４】
なお、ここで、走査線６２０に出力される走査線信号、発光制御線６３６に出力される発光制御信号、書き込み制御線６２２に出力される書き込み制御信号は、前述した画素制御部２１３から出力される画素制御信号２１４に対応する。また、データ線には、上記のデータ線駆動電圧２１０が供給される。
【００４５】
なお、図６では、４つの画素６２６、６２７、６２８、６２９のみ示しているが、自発光表示ディスプレイ２１７に必要とされる画素数に応じてその数が異なることはいうまでもない。また、上記した自発光表示ディスプレイ２１７及びその画素６２６、６２７、６２８、６２９の構成は一例であって、実質的に同一の構成、同一の作用効果を奏する構成、又は、同一の目的を達成することができる構成で置き換えることができることはいうまでもない。
【００４６】
次に、当該表示装置１００の動作について、図７を用いて説明する。図７に示すように、１フレーム期間には、各画素６２６、６２７、６２８、６２９に表示電圧を書き込む書き込み期間、各画素６２６、６２７、６２８、６２９が発光される発光期間、及び特定信号電圧が付加される特定信号付加期間が当該順に設けられ、当該１フレーム期間の動作が繰り返されることにより、表示装置１００が駆動される。なお、図７において、上方から１段目は第１の１フレーム期間を示し、２段目は、次のフレーム期間である第２の１フレーム期間を示す。
【００４７】
具体的には、まず、第１のフレーム期間において、第１の書き込み期間及び第１の発光期間が終了した後、特定信号制御部２４１は、第１の書き込み期間のデータ信号２４０及び発光期間信号２３９に基づいて、特定信号電圧を算出する。次に、データ線駆動部２０９が、第１の特定信号付加期間において、当該特定信号電圧を、保持容量６３２を介して駆動トランジスタ６３３のゲート端子に付加する。具体的には、図６に示した各画素６２６、６２７、６２８、６２９の等価回路を示した図８（Ａ）−（Ｅ）を用いて説明する。なお、図８（Ａ）−（Ｅ）においては、説明を簡略化するため、スイッチングトランジスタ６３１を省略して説明するとともに、基準電圧５４５をＶＳＬ、駆動電圧２１６をＶｃｃ、階調電圧５４８をＶｄａｔａとして説明する。
【００４８】
まず、図８（Ａ）に示すように、書き込み期間におけるプリチャージ動作においては、スイッチングトランジスタ６３１、書き込み制御スイッチ６３４、発光制御スイッチ６３８をオン状態にすることにより、保持容量６３２に保持されている電荷が、リセットされる。つまり、矢印（ａ）のように電流が流れ、駆動トランジスタ６３３のゲートは低電圧となる。
【００４９】
次に、図８（Ｂ）に示すように、発光制御スイッチ６３８がオフされ、駆動トランジスタ６３３のゲートの電圧は、駆動電圧供給線６２４に供給されている電圧Ｖｃｃと駆動トランジスタ６３３の閾値電圧Ｖｔｈとの差、つまり、Ｖｃｃ−Ｖｔｈとなる。このとき、データ線６１８には当該画素のデータ信号２４０に応じた階調電圧Ｖｄａｔａが入力されていることから、保持容量６３２に保持される電圧は、Ｖｃｃ−Ｖｔｈ−Ｖｄａｔａとなる。なお、このときの電流の流れは矢印（ｂ）のようになる。
【００５０】
次に、図８（Ｃ）に示すように、書き込み制御スイッチ６３４がオフされ、他の画素への書き込みが行われるが、その間保持容量６３２に保持される電圧は保持される。以上が書き込み期間における動作である。なお、図８（Ｃ）のＶｄａｔａＭは、他の画素へのデータ信号を示す。
【００５１】
次の発光期間においては、図８（Ｄ）に示すように、全てのデータ線６１８に基準電圧ＶＳＬを印加し、発光制御スイッチ６３８をオンにする。これにより、ＶＳＬ−Ｖｔｈ−Ｖｄａｔａに応じた電流が矢印（ｃ）に示すように、有機ＥＬ６３５に流れ、有機ＥＬ６３５が発光する。
【００５２】
次の特定信号付加期間においては、図８（Ｅ）に示すように、データ線６１８に特定信号電圧Ｖｐが付加され、矢印（ｄ）に示すように電流が流れる。このような動作を行うことで、発光量に起因するヒステリシス状態を軽減する。なお、当該特定信号付加期間においては、有機ＥＬ６３５が発光しないように、発光制御スイッチ６３８はオフにする。
【００５３】
次の第２のフレーム期間における書き込み期間においては、第１のフレーム期間と同様に、各画素６２６、６２７、６２８、６２９の保持容量６３２に第２のフレーム期間における各表示電圧が書き込まれるが、第1のフレーム期間における特定信号電圧付加により、ヒステリシス状態が軽減されるため、画面上部と下部で駆動トランジスタの閾値電圧Ｖｔｈに差異を生じない。
【００５４】
次の第２のフレーム期間における発光期間においては、全てのデータ線６１８に基準電圧ＶＳＬを印加し、発光制御スイッチ６３８をオンにする。これにより、ＶＳＬ−Ｖｔｈ−Ｖｄａｔａに応じた電流が有機ＥＬ６３５に流れ、有機ＥＬ６３５が発光する。その後の第３フレーム以降の各フレームでは上記と同様の動作が繰り返し行われる。
【００５５】
上記のように、本実施例における表示装置１００は、前のフレーム期間における発光期間及び平均信号レベルに基づいて算出した特定信号電圧を算出し、保持容量６３２を介して駆動トランジスタ６３３のゲート端子に付加する。この動作でヒステリシスの状態を軽減することができるため、現在のフレーム期間においては、Ｖｔｈのばらつきのない状態で書き込み動作を行うことができる。
【００５６】
したがって、上述したようなヒステリシスによる画面上部から下部へかけての輝度の相違をより防止し、より均一な画面を表示することができる。これは、図９に示すように、基本的には駆動トランジスタ６３３のヒステリシス量と入力レベル（入力信号×発光期間）は比例関係にあることから、入力レベルに応じた特定信号電圧を付加することで、ヒステリシスの影響を軽減できるからである。特に、本発明は、統計値取得部によりデータ信号の統計値を取得し、特定信号取得部で平均信号レベルＤと発光期間信号を取得することで、補正用の特定信号電圧を算出している。この動作によって、特定信号電圧をダイナミックに変化させることができ、データ線駆動信号を最適に補正することができる。補正用の特定信号電圧を最適化して供給できるので、白表示後や中間調表示後でもＶｔｈの変化（時間に対する変化量）を類似させることができ、良好な画像表示ができる。
【００５７】
なお、上記実施の形態においては、特定信号付加量を算出するために、平均信号レベルを用いているが、各画素毎に特定信号付加量を算出することができるのであれば、各画素毎に付加されるデータ信号そのものを用いてもよいし、その他の信号を用いてもよい。
【００５８】
[変形例１]
図１０は、変形例１における特定信号制御部を説明するための図である。また、図１１は、変形例１におけるデータ線駆動部の概略図である。変形例１においては、上記実施の形態と異なり、特定信号制御部２４１は、特定信号電圧制御部４０３に換えて、特定信号電圧及び付加期間制御部８０１を有する。また、データ線駆動回路２０９は、発光期間格納部５０５に換えて、発光期間制御部９０２を有し、また、発光電圧格納部５０３に換えて、発光電圧制御部９０５を有する。
【００５９】
図１０に示すように、特定信号電圧及び付加期間制御部８０１は、入力される特定信号付加量Ｍに基づき、当該特定信号付加量Ｍから特定信号付加期間を最小とするような特定信号電圧信号２４２及び特定信号付加期間信号８０２を算出する。
【００６０】
具体的には、例えば、データ線６１８に与えることができる最大電圧を生じる特定信号電圧信号を特定信号電圧信号２４２と設定し、特定信号付加量Ｍを、当該特定信号電圧信号２４２で割り算した値に基づいて、特定信号付加期間信号８０２を求める。そして、特定信号電圧及び特定信号付加期間制御部８０１は、当該算出された特定信号電圧信号２４２及び特定信号付加期間信号８０２を、それぞれデータ線駆動部２０９に出力する。
【００６１】
次に、変形例１におけるデータ線駆動部２０９について説明する。図１１に示すように、特定信号制御部２４１から出力された特定信号電圧信号２４２及び特定信号付加期間信号８０２は、発光期間制御部９０２及び特定信号付加期間格納部５０６に入力される。
【００６２】
発光期間制御部９０２は、図１２に示すように、発光期間信号２３９の初期値を格納する発光期間初期値格納部９０３と発光期間算出部９０１を有する。発光期間初期値格納部９０３は、予め設定された発光期間信号の初期値２３９ａを特定信号制御部２４１に出力する。
【００６３】
発光期間算出部９０１は、入力された特定信号付加期間信号８０２に基づき、発光期間を表す発光期間信号２３９ｂを算出する。具体的には、例えば、１フレーム期間において、書き込み期間及び特定信号付加期間を除いた最大の時間が発光期間となるような発光期間信号２３９ｂを算出する。そして、発光期間算出部９０１は、電圧切り換え部５０２及び発光電圧制御部９０５に発光期間信号２３９ｂを出力する。また、発光電圧制御部９０５は、入力された発光期間信号２３９ｂに基づいて、基準電圧信号９０４を算出し、電圧切り換え部５０２に出力する。
【００６４】
上記のように、１フレーム期間において、特定信号付加期間を最小とし、発光期間を長くすることで、発光時のピーク電圧を小さくすることができる。結果として、例えば有機ＥＬ６３５等の素子への負担を軽減することができ、素子の寿命を長くすることができる。
【００６５】
なお、発光時のピーク電圧を小さくする方法としては、上記のように発光時の基準電圧を制御してもよいし、データ信号２４０を制御してもよいし、また、各階調のアナログγ特性を制御してもよい。また、上記実施の形態と同様、ヒステリシスによる画面上部から下部へかけての輝度の相違をより防止し、より均一な画面を表示することができる。
【００６６】
[変形例２]
図１３は、本発明の変形例２を説明するための図である。上記実施の形態と異なり、変形例２においては、複数の画素ライン毎（ブロック毎）にまとめて駆動し、各ブロック毎に書き込み期間、発光期間、特定信号付加期間が設けられる。
【００６７】
例えば、図１３に示すように、例えば、表示画面が６４０列×４８０行のマトリクス状に配置された複数の画素で構成される場合を想定すると、６０行毎に８分割したブロック毎に纏めて駆動する。
【００６８】
具体的には、１フレーム期間毎に、まず、表示画面上部の１−６０行（第１のブロック）を書き込み、１−４８０行の全面で発光、全面に特定信号付加、次に、６１−１２０行（第２のブロック）を書き込み、１−４８０行の全面で発光、全面に特定信号付加というように、順に１フレーム期間毎に、表示画面の１−４８０行を８度に分けて書き込み発光を繰り返す。
【００６９】
なお、図１３において、１段目は現在の１フレーム期間を表し、２段目は、次フレームの１フレーム期間を示す。また、表示画面の画素数、各ブロックを構成する行数、またはブロック数は上記に限定されるものではなく、必要に応じて他の画素数や行数、ブロック数が用いられることはいうまでもない。また、この場合、データ線駆動部２０９のデータ格納部５０７はブロック毎にデータ線制御信号２０７を格納し得ることはいうまでもない。
【００７０】
この場合、図３に示した特定信号制御部２４１は、各ブロック毎に平均信号レベル、特定信号付加量、及び特定信号電圧を算出する。具体的には、まず統計値取得部４０１は第１のブロックにおけるデータ信号２４０の平均信号レベルＤ１を算出し、特定信号付加量制御部４０２に出力する。
【００７１】
次に、特定信号付加量制御部４０２は、当該平均信号レベルＤ１に発光期間Ｔを乗じた値に基づいて第１のブロック期間における特定信号付加量Ｍ１を算出し、特定信号電圧制御部４０３に出力する。
【００７２】
次に、特定信号電圧制御部４０３は、当該特定信号付加量Ｍ１に基づいた特定信号電圧信号２４２を算出し、データ線駆動部２０９に出力する。なお、発光期間Ｔは、上記実施形態の発光期間信号２３９に対応するものである。
【００７３】
次の第２ブロックにおいても同様に、データ信号２４０の平均信号レベルＤ２を算出し、特定信号付加量制御部４０２に出力する。特定信号付加量制御部４０２は、当該平均信号レベルＤ２に発光期間Ｔを乗じた値に基づいて第２のブロック期間における特定信号付加量Ｍ２を算出し、特定信号電圧制御部４０３に出力する。特定信号電圧制御部４０３は、当該特定信号付加量Ｍ２に基づいた特定信号電圧信号２４２を算出し、データ線駆動部２０９に出力する。以下、第１フレームの第３ブロック以降の各フレームの各ブロックについて、同様の処理を行う。
【００７４】
つまり、変形例２の表示装置は、前のブロックにおいて、発光期間及び平均信号レベルに基づいて特定信号電圧を算出し、当該特定信号電圧を保持容量６３２を介して駆動トランジスタ６３３のゲート端子に付加する。そして、現在のブロックにおいて、当該特定信号電圧に基づく電圧により影響下で保持容量６３２に書き込みを行い、その後当該書き込まれた電圧に基づいて、有機ＥＬ６３２を発光する。
【００７５】
上記のように構成することで、表示画面のうち、纏めて駆動されるブロックとブロックの間において高い周波数を有する輝度段差が生じ、画面にすじが入ったような表示となることを効果的に防止することができ、より均一な画面を表示することが可能となる。特に、人間の目は、高い周波数を有する輝度段差をより容易に認識する傾向があることから、当該すじが入ったような表示画面と比べて、画面表示の質を格段に向上することができる。なお、上記変形例２は、変形例１にも適用可能である。
【００７６】
[変形例３]
図１４は、本発明の変形例３を説明するための図である。変形例３においては、変形例２と同様に、ブロック毎にまとめて駆動する。しかしながら、変形例３においては、変形例２と異なり、現在のブロックにおける特定信号電圧は、当該現在のブロックを含め当該現在のブロックから１フレーム前までのブロックにおける平均信号レベルの和を、当該１フレームに含まれるブロック数で割った値に発光期間を乗じた値に基づいて算出される。
【００７７】
具体的には、変形例３の表示装置は、図１４に示すように、例えば表示画面が６４０列×４８０行のマトリクス状に配置された複数の画素で構成される場合を想定すると、６０行毎に８分割したブロック毎に纏めて駆動する。つまり、変形例２と同様、例えば、図４に示すように、例えば、表示画面が６４０列×４８０行のマトリクス状に配置された複数の画素で構成される場合を想定すると、６０行毎に８分割したブロック毎に纏めて駆動する。つまり、例えば、１フレーム期間毎に、まず、表示画面上部の１−６０行（第１のブロック）を書き込み、１−４８０行の全面で発光、全面に特定信号付加、次に、６１−１２０行（第２のブロック）を書き込み、１−４８０行の全面で発光、全面に特定信号付加というように、順に１フレーム期間毎に、表示画面の１−４８０行を８度に分けて書き込み発光を繰り返す。なお、図１４においても図１３と同様、１段目は現在の１フレーム期間を表し、２段目は、次フレームの１フレーム期間を示す。また、表示画面の画素数や各ブロックを構成する行数は上記に限定されるものではなく、必要に応じて他の画素数や行数が用いられることはいうまでもない。
【００７８】
しかしながら、変形例３における特定信号付加量制御部４０２は、例えば、第２フレームの第１のブロックにおける特定信号付加量Ｍ１’を、第１フレームにおける第２ブロックから第８ブロックの平均信号レベルＤ１乃至Ｄ８と当該２フレームの第１ブロックの平均信号レベルＤ’１の和（Ｄ２＋Ｄ３＋Ｄ４＋Ｄ５＋Ｄ６＋Ｄ７＋Ｄ８＋Ｄ’１）に発光期間Ｔを乗じた値を１フレーム期間のブロック数８で割った値に基づいて算出する。そして、特定信号電圧制御部４０３は、当該特定信号付加量Ｍ１’に基づいて、第２フレームの第１ブロックにおける特定信号電圧信号２４２を算出し、データ線駆動部２０９に出力する。
【００７９】
同様に、第２フレームの第２のブロックにおける特定信号付加量Ｍ２’を、第１フレームにおける第３ブロックから第８ブロックの平均信号レベルＤ３乃至Ｄ８と当該２フレームの第１ブロックと第２ブロックの平均信号レベルＤ’１、Ｄ’２の和（Ｄ３＋Ｄ４＋Ｄ５＋Ｄ６＋Ｄ７＋Ｄ８＋Ｄ’１＋Ｄ’２）に発光期間Ｔを乗じた値を１フレーム期間のブロック数８で割った値に基づいて算出する。そして、特定信号電圧制御部４０３は、当該特定信号付加量Ｍ２’に基づいて、第２フレームの第２ブロックにおける特定信号電圧信号２４２を算出し、データ線駆動部２０９に出力する。以下、同様に各フレームにおける各ブロックにおける特定信号電圧信号２４２を算出する。
【００８０】
なお、第１フレームにおける各ブロックの特定信号付加量を算出する際には、１フレーム前の各ブロックにおける平均信号レベルが存在しないが、その場合は、例えば、変形例２のように特定信号付加量を算出するようにしてもよい。または、存在するブロックの平均信号レベルを１フレーム期間分になるよう、つまり８ブロック分となるよう、予め設定された方法で合算し、その値に発光期間Ｔを乗じてブロック数８で割り算する等としてもよい。
【００８１】
上記のように構成することで、現在書き込み対象でないブロックの影響を考慮して書き込み対象のブロックの各画素の特定信号付加量を求めることができる。結果として、表示画面において、纏めて駆動されるブロックとブロックの間で高い周波数の輝度段差が生じ、すじが入ったような表示となることを効果的に防止することができ、より均一な画面を表示することが可能となる。なお、上記変形例３は、変形例１にも適用可能である。
【００８２】
[変形例４]
図１５は、変形例４を示す図である。図１５に示すように、変形例４の表示装置１００は、上記実施の形態と異なり、電流検出部３０１及びＡ／Ｄ変換部３０２を有する。電流検出部３０１は、有機ＥＬ６３５のアノード配線またはカソード配線を流れる電流を検出し、Ａ／Ｄ変換部３０２に出力する。Ａ／Ｄ変換部３０２は、入力された電流情報をデジタル値の電流情報に変換し、電流情報を特定信号制御部２４１に入力する。
【００８３】
特定信号制御部２４１は、データ信号２４０の代わりに、当該電流情報に基づいて、平均信号レベル、特定信号付加量、特定信号電圧を算出する。具体的には、統計値取得部４０１は、当該電流情報に基づいて、平均信号レベルを算出し、当該平均信号レベルを特定信号付加量制御部４０２へ出力する。
【００８４】
特定信号付加量制御部４０２は、上記のようにして算出された平均信号レベルとデータ線駆動部２０９から出力された発光期間信号２３９に基づいて、特定信号付加量を算出し、特定信号電圧制御部４０３へ出力する。具体的には、例えば、上記のように算出された平均信号レベルに発光期間信号２３９を乗じて特定信号付加量を算出する。そして、特定信号電圧制御部４０３は、上記のように算出された特定信号付加量に基づいて、データ線駆動部２０９に出力する特定信号電圧信号２４２を算出する。
【００８５】
なお、電流検出部３０１が検出する電流情報は、例えば１フレーム期間における平均電流若しくはピーク電流であってもよい。また、平均電流を用いる場合は、データ線駆動部２０９からの発光期間信号２３９を特定信号制御部２４１に入力せず、当該平均電流から発光期間を算出して用いることとしてもよい。
【００８６】
また、上記変形例４は、変形例２及び３で示した纏め駆動の場合にも適用可能であるが、纏め駆動を行う場合には、電流検出部３０１は、１フレーム期間の１ブロック期間毎に上記電流を検出する。
【００８７】
更に、Ａ／Ｄ変換部３０２を用いないで、電流検出部３０１からの電流をアナログ値のまま処理してもよいが、その場合には、特定信号制御部２４１は、まず入力された電流に対応したアナログ電圧を電圧変換部（図示せず）に入力し、電圧変換を行うことで、特定信号電圧を出力する。
【００８８】
上記のように構成することで、上述したような駆動トランジスタのヒステリシス特性による画面上部から下部へかけての輝度の相違をより防止し、より均一な画面を表示することができる。なお、上記変形例４は、変形例１乃至３にも適用可能である。
【００８９】
[変形例５]
図１６は、変形例５を示す図である。図１６に示すように、変形例５の表示装置１００は、上記変形例４と異なり、自発光表示ディスプレイ２１７に設けられた光センサ４２１、光量検出部４２２を有する。光センサ４２１は、各画素６２６、６２７、６２８、６２９毎に設けてもよいし、所定数の画素ライン毎に設けてもよい。
【００９０】
光センサ４２１により取得された光量情報は、光量検出部４２２に入力され、光量検出部４２２によりデジタル値に変換された後、特定信号制御部２４１に入力される。その他の処理は、変形例４と同様であるので省略する。なお、変形例４と同様、デジタル値に変換しないでアナログ値のままで処理する構成としてもよい。また、変形例４の場合と同様、上記実施の形態や変形例１乃至変形例３と組み合わせることも可能である。
【００９１】
上記のように構成することで、上述したような駆動トランジスタのヒステリシス特性による画面上部から下部へかけての輝度の相違をより防止し、より均一な画面を表示することができる。
【００９２】
なお、上述の実施形態及び変形例１乃至５においては特に記載していないが、自発光素子に使用される発光材料は低分子であっても、高分子であってもよいし、有機ＥＬパネルの光の取り出し方向は、ボトムエミッション方式及びトップエミッション方式のいずれであってもよい。また、上述の実施形態及び変形例１乃至５においては、有機ＥＬを用いて説明したが、有機ＥＬ以外の発光ダイオード、無機ＥＬ等を用いてもよい。
【００９３】
なお、本発明は、上記実施の形態及び変形例１乃至５に限定されるものではなく、種々の変形が可能である。例えば、上記実施の形態で示した構成と実質的に同一の構成、同一の作用効果を奏する構成又は同一の目的を達成することができる構成で置き換えることができる。
【符号の説明】
【００９４】
１００  表示装置、２００  ＴＦＴ基板、２１３  画素制御部、２０９  データ線駆動部、２１１  走査線駆動部、２１５  駆動電圧生成部、２１７  自発光ディスプレイ、２４１  特定信号制御部、４０１  統計値取得部、４０２  特定信号付加量制御部、４０３  特定信号電圧制御部、５０１  階調電圧ＤＡＣ、５０２  電圧切り換え部、５０３  発光電圧格納部、５０４  特定信号電圧ＤＡＣ、５０５  発光期間格納部、５０６  特定信号付加期間格納部、５０７  ラインデータ格納部、６３２  保持容量、６３３  駆動トランジスタ、６３４  書き込み制御スイッチ、６３１  スイッチングトランジスタ、６３５  有機ＥＬ、６２６、６２７、６２８、６２９  各画素、６３８  発光制御スイッチ。
【図１】
2011221398.tif 000003
【図２】
2011221398.tif 000004
【図３】
2011221398.tif 000005
【図４】
2011221398.tif 000006
【図５】
2011221398.tif 000007
【図６】
2011221398.tif 000008
【図７】
2011221398.tif 000009
【図８】
2011221398.tif 000010
【図９】
2011221398.tif 000011
【図１０】
2011221398.tif 000012
【図１１】
2011221398.tif 000013
【図１２】
2011221398.tif 000014
【図１３】
2011221398.tif 000015
【図１４】
2011221398.tif 000016
【図１５】
2011221398.tif 000017
【図１６】
2011221398.tif 000018
【図１７】
2011221398.tif 000019
【図１８】
2011221398.tif 000020